(57)【特許請求の範囲】
【請求項１】
電話回線との間で送信信号の変調と受信信号の復調とを行うモデム手段と、前記電話回線の直流インピーダンスを閉結状態にする閉結制御手段と、前記電話回線の直流インピーダンスを半閉結状態にするとともに前記電話回線に信号を送出する機能を備えた半閉結制御手段と、前記電話回線の交流インピーダンスの整合をとる交流インピーダンス整合手段と、前記半閉結制御手段と前記交流インピーダンス整合手段とを前記電話回線に接続制御するスイッチ手段と、全体の動作を制御する制御手段とを備え、前記制御手段は、半閉結状態を停止するとき、前記スイッチ手段の動作を停止させたのち一定時間を経過した時点で前記半閉結制御手段の動作を停止させるように制御する端末網制御装置。
【請求項２】
電話回線との間で送信信号の変調と受信信号の復調とを行うモデム手段と、前記電話回線の直流インピーダンスを閉結状態にする閉結制御手段と、前記電話回線の直流インピーダンスを半閉結状態にするとともに前記電話回線に信号を送出する機能を備えた半閉結制御手段と、前記電話回線の交流インピーダンスの整合をとる交流インピーダンス整合手段と、前記半閉結制御手段と前記交流インピーダンス整合手段とを前記電話回線に接続制御するスイッチ手段と、全体の動作を制御する制御手段とを備え、前記制御手段は、半閉結状態の動作を開始するとき、前記スイッチ手段の動作を開始させたのち一定時間を経過した時点で前記半閉結制御手段の動作を開始させるように制御する端末網制御装置。
【請求項３】
制御手段は、閉結制御手段と半閉結制御手段とを動作させた状態で通信する閉結動作状態を停止するときには、閉結制御手段と半閉結制御手段とスイッチ手段とを同時に動作を停止させるように制御する請求項１記載の端末網制御装置。
【請求項４】
制御手段は、リセットにより初期状態としたとき、スイッチ手段の停止状態で半閉結制御手段を一定時間、動作させるように制御する請求項１ないし３のいずれか１項記載の端末網制御装置。
【請求項５】
制御手段は、閉結状態で閉結制御手段を動作させてダイヤルパルスを送出するとき、前記ダイヤルパルスを送出中はスイッチ手段と半閉結制御手段とを停止状態にし、前記ダイヤルパルスの送出を終了した時点でスイッチ手段を動作させたのち一定時間を経過した時点で半閉結制御手段を動作させるように制御する請求項１ないし４のいずれか１項記載の端末網制御装置。
【請求項６】
電話回線と半閉結制御手段との間を開閉するＰＮＰトランジスタと、前記ＰＮＰトランジスタのベース電流を制御するＮＰＮトランジスタとを備え、前記ＮＰＮトランジスタのベース電流を制御手段の出力信号により制御して前記ＰＮＰトランジスタを開閉制御するスイッチ手段において、前記ＮＰＮトランジスタのエミッタとコレクタとにそれぞれ抵抗を直列に接続して設けた請求項１ないし５のいずれか１項記載の端末網制御装置。
【発明の詳細な説明】
【０００１】
【発明の属する技術分野】
本発明は、アナログ電話回線に接続される端末網制御装置の回線インピーダンス制御に関する。
【０００２】
【従来の技術】
近年、ガス、電気、および水道などの使用量をセンタ装置から遠隔操作により自動的に検針する自動検針システムに使用される端末網制御装置は、通常、メンテナンスフリーにするため、電池電源を搭載することが多く、また、前記電池電源の容量を少なくするために電話回線から一部の電力を供給して動作させるように構成されることも多い。
【０００３】
以下、従来の端末網制御装置について、図面を参照しながら説明する。図９は従来の端末網制御装置の構成を示すブロック図である。図において、１は端末網制御装置であり、端子１ａおよび端子１ｂは電話回線２に接続される。電話回線２の先にはセンタ装置（図示せず）が接続され、ノーリンギング通信や、端末網制御装置１からの発呼通信が行われる。３はダイオードブリッジであり、端子１ａおよび端子１ｂと電話回線２との接続を無極性にしている。４は閉結制御手段であり、動作時には５０〜３００Ωの直流インピーダンスとなり、電話回線２を閉結状態にする。５はスイッチ手段であり、交流インピーダンス整合手段６と半閉結制御手段７とを電話回線２に接続するスイッチ動作を行う。
【０００４】
交流インピーダンス整合手段６は、交流インピーダンスが６００Ωとなる回路から構成されており、動作時には電話回線２の交流インピーダンスの整合をとる働きをする。７は半閉結制御手段であり、電源を回線電源供給手段１２から供給され、動作時、たとえばノーリンギング通信時に直流インピーダンスを数１０ｋΩの半閉結状態にする。８はモデム手段であり、電話回線２からのデータの復調および送信データの変調を行う。９は制御手段であり、マイクロコンピュータ（図示せず）を備え、閉結制御手段４、スイッチ手段５、半閉結制御手段７、およびモデム手段８の動作を制御し、また、外部からデータをデータ入力端子１ｃから入力して処理するように構成されている。
【０００５】
図１０は従来の端末網制御装置の構成を示す要部回路図である。なお、図９と同じ構成要素には同一番号を付与して説明を省略する。図において、交流インピーダンス整合手段６は、コンデンサ６ａ、抵抗６ｂ、および放電用の抵抗６ｃとを備え、交流インピーダンスが抵抗６ｂと抵抗６ｃとの並列抵抗値になるように構成されている。また、半閉結制御手段７はトランジスタ７ａ、抵抗７ｂ、および定電流回路１０で構成され、定電流回路１０はトランジスタ７ａのコレクタ電流により抵抗７ｂの両端に発生する電圧を端子１０ｃから入力し、この電圧を一定にするように端子１０ａから与えるベース電流をフィードバック制御することにより、トランジスタ７ａのコレクタ電流が一定になるように動作する。また、定電流回路１０は電源を回線電源供給手段１２から供給されている。さらに、半閉結制御手段７は半閉結状態でトランジスタ７ａのコレクタを制御して、電話回線２にデータ信号を送出するように動作する。
【０００６】
スイッチ手段５は、ＰＮＰトランジスタ５ｄ、ＮＰＮトランジスタ５ｂ、および抵抗５ａ、５ｃ、５ｅから構成され、制御手段９の端子９ｂがハイレベルになると抵抗５ａを介してＮＰＮトランジスタ５ｂが動作状態になり、ＰＮＰトランジスタ５ｄにベース電流を流す。このとき、抵抗５ｃの作用によりＮＰＮトランジスタ５ｂに流れる電流は、制御手段９の端子９ｂから与えられる電圧のレベルが一定であるかぎり一定の電流となる。したがって、電話回線２の電圧が変化してもベース電流が変化しないので電話回線２への直流インピーダンスの影響が一定になるように構成されている。
【０００７】
上記構成において、その動作を説明する。センタ装置からノーリンギング通信を利用した検針要求が発生すると、電話回線２の極性が反転する。図示しないが、この極性反転を制御手段９が検知するとモデム手段８は電話回線２からのＮＲＳ信号を受信し、その内容を制御手段９に通知する。制御手段９はこのＮＲＳ信号が自己のアドレスと同一であると判断すると、端子９ｂおよび端子９ｃから制御信号を出力して、スイッチ手段５および半閉結制御手段７を動作状態にし、モデム手段８を介して電話回線２にアンサ信号を送信する。以降、センタ装置とデータ通信が開始され、センタ装置はデータ入力端子１ｃに接続されたガスメータ（図示せず）などの検針値を読み取ることができる。
【０００８】
また、前記ガスメータからガス漏れなどの発呼要求が制御手段９の端子９ｅに入力されると端末発呼通信に移行し、制御手段９は閉結制御手段４、スイッチ手段５、および半閉結制御手段７を制御して、閉結動作状態でダイヤリング動作を行い、センタ装置と接続されたのちデータ通信する。なお、端末発呼通信時には電話回線２が閉結状態になるためダイオードブリッジ３の出力電圧は前記ノーリンギング通信時より低くなる。また、データ通信中はモデム手段８が端子８ｂからデータを入力し、その復調データを端子８ｃから制御手段９の端子９ｆに送り、制御手段９が処理する。また、データを送信する場合は、制御手段９から出力するデータをモデム手段８により変調し、図示しないが半閉結制御手段７により電話回線２に信号を送出するように構成されている。
【０００９】
【発明が解決しようとする課題】
このような従来の端末網制御装置において、交流インピーダンス整合手段６に放電用の抵抗６ｃを備えた構成では、放電時間を短くするために抵抗６ｃの抵抗値を小さくすると、電話回線２に対する直流インピーダンスおよび交流インピーダンスの低下を招いていた。
【００１０】
また、電話回線２から電源を供給するために回線電源供給手段１２を用いる構成では、回線電源供給手段１２が電話回線２に与える直流インピーダンスおよび交流インピーダンスの影響を避けるためには、回線電源供給手段１２を高い直流インピーダンスおよび高い交流インピーダンスの回路構成とする必要があり、構成が複雑になっていた。
【００１１】
これに対する対策として、定電流回路１０を電池電源１１で動作させる構成にすると、スイッチ手段５と半閉結制御手段７とを動作させたとき、交流インピーダンス整合手段６のコンデンサ６ａが充電されるまではスイッチ手段５からトランジスタ７ａへは電流が流れないため、定電流回路１０は、ベース電流のみで抵抗７ｂの電圧を維持しようとして端子１０ｂから過大なベース電流を流し込む。このベース電流はコレクタ電流が流れているときのベース電流に比べて過大な電流であり、定電流回路１０に電流を供給している電池電源１１の電流もまた過大になる。
【００１２】
また、電池電源１１で動作させる構成とした上で、さらに、交流インピーダンスの低下を防止する目的で放電用の抵抗６ｃを削除し、半閉結制御手段７を介してコンデンサ６ａを放電させるように構成すると、端末発呼通信時の閉結動作状態ではノーリンギング通信状態に比べてダイオードブリッジ３の出力電圧が低いためトランジスタ７ａによる放電がほとんど不可能になり、上記と同様に、電池電源１１から定電流回路１０に電流が流れ込む負荷電流が増加することになる。
【００１３】
また、抵抗６ｃを削除した場合、制御手段９がリセットしたときにはスイッチ手段５および半閉結制御手段７を停止状態にするが、交流インピーダンス整合手段６のコンデンサ６ａが放電されないと言う欠点がある。
【００１４】
また、閉結制御手段４を動作させてダイヤルパルスを電話回線２に出力するとき、ダイヤルパルス間のミニマムポーズの間は閉結制御手段４、スイッチ手段５、および半閉結制御手段７をそれぞれ動作状態にするが、前記ミニマムポーズを開始してからコンデンサ６ａが充電されるまでの間はトランジスタ７ａに電流が流れないので、上記と同様に、定電流回路１０からベースに大きい電流が流れ、定電流回路１０を電池電源１１で直接駆動する構成では電池電源１１の負荷電流が増すと言う欠点がある。
【００１５】
さらに、電池電源１１からレギュレータなどを使用せずに制御手段９に電源を供給すると、電池電源１１の電圧変化は制御手段９の端子９ｂから出力される電圧のハイレベルの変化として現れる。端子９ｂの電圧が一定であればＮＰＮトランジスタ５ｂには一定電流が流れるが、端子９ｂの電圧が高くなるとＮＰＮトランジスタ５ｂの電流が増加し、電話回線２の交流インピーダンスの低下を招くと言う欠点があった。
【００１６】
本発明は上記の課題を解決するもので、電話回線２への直流インピーダンスおよび交流インピーダンスの影響をなくしながらコンデンサの放電を速めることができ、かつ半閉結制御手段に無駄な電流が流れないようにできる端末網制御装置を提供することを目的とする。
【００１７】
【課題を解決するための手段】
請求項１に係わる本発明は、電話回線の半閉結状態を停止させるとき、交流インピーダンス整合手段のコンデンサの電荷を前記半閉結制御手段を介して放電させ、放電させたのち半閉結制御手段の動作を停止させるようにした端末網制御装置である。
【００１８】
これにより、交流インピーダンス整合手段の交流インピーダンスを低下させることなくコンデンサの放電を速めることができ、かつ放電後に電源から半閉結制御手段に過大な電流が流れないようにすることができる。
【００１９】
請求項２に係わる本発明は、電話回線を半閉結状態にするとき、スイッチ手段を動作させて交流インピーダンス整合手段のコンデンサを充電し、充電させたのち半閉結制御手段を動作させるようにした端末網制御装置である。
【００２０】
これにより、スイッチ手段を動作させてから前記コンデンサが充電されるまでの間に電源から半閉結制御手段に過大な電流が流れないようにすることができる。
【００２１】
請求項３に係わる本発明は、閉結動作状態を停止するときには、閉結制御手段とスイッチ手段と半閉結制御手段とを同時に動作を停止させるようにした請求項１に係わる端末網制御装置である。
【００２２】
これにより、閉結状態では交流インピーダンス整合手段のコンデンサの充電電圧が低いため、閉結状態を停止するときに半閉結制御手段を介して放電できないことに起因して電源から過大な電流が流れる事態を回避することができる。
【００２３】
請求項４に係わる本発明は、制御手段がリセットにより装置全体を初期状態にしたとき、半閉結制御手段を所定時間、動作させて交流インピーダンス整合手段のコンデンサを放電させるようにした請求項１ないし請求項３のいずれかに係わる端末網制御装置である。
【００２４】
これにより、交流インピーダンス整合手段のコンデンサをあらかじめ放電させておけるとともに、そののちは半閉結制御手段の動作を停止させておくので、電源から半閉結制御手段に過大な電流が流れないようにすることができる。
【００２５】
請求項５に係わる本発明は、閉結状態で閉結制御手段を制御してダイヤルパルスを送出するとき、ダイヤルパルスを送出し終わった時点でスイッチ手段を動作させたのち、所定時間を経過した時点で半閉結制御手段を動作させるようにした端末網制御装置である。
【００２６】
これにより、ダイヤルパルスを送出したのち半閉結状態にするとき、交流インピーダンス整合手段のコンデンサが充電されるまでの間に電源から半閉結制御手段に過大な電流が流れないようにすることができる。
【００２７】
請求項６に係わる本発明は、制御手段の信号を入力するスイッチ手段のＮＰＮトランジスタのエミッタとコレクタのそれぞれに直列に抵抗を挿入して設けた請求項１ないし請求項５のいずれかに係わる端末網制御装置である。
【００２８】
これにより、スイッチ手段の直流インピーダンスが電源電圧の変動の影響を受けにくく、電話回線への直流インピーダンスおよび交流インピーダンスの変動を抑制することができる。
【００２９】
【発明の実施の形態】
請求項１に係わる本発明において、交流インピーダンス整合手段は、電話回線に所定の交流インピーダンスを接続して整合をとる手段を意味し、コンデンサと抵抗の直列回路を備えた回路で実現するが、実施例では前記コンデンサの放電用の抵抗を備えず、コンデンサと抵抗の直列回路のみとする。これにより放電用の抵抗で交流インピーダンスを低下させない構成にできる。だたし、放電用の抵抗を備えてもよい。また、半閉結制御手段は、電話回線に高抵抗を接続した半閉結状態とする手段を意味し、前記高抵抗はトランジスタの定電流により実現するが、前記定電流は定電流回路のフィードバック制御により実現する。なお、この構成は従来例に示した構成と同じでよいが、これに限定されるものではない。また、実施例では半閉結制御手段の電源を電池電源から供給し、複雑な回線電源供給手段を用いないこととしたが、回線電源供給手段を用いてもよい。
【００３０】
また、スイッチ手段は、前記交流インピーダンス整合手段と前記半閉結制御手段とを電話回線に開閉接続する手段を意味し、従来例に示した構成と同じでよいが、これに限定されるものではない。また、一定時間は、前記スイッチ手段の動作を停止させたとき、すなわち前記交流インピーダンス整合手段が電話回線から切り離されたときに、前記交流インピーダンス整合手段における前記コンデンサの電荷が前記半閉結制御手段を介して放電を開始し、その放電が終了するまでの時間を意味し、前記コンデンサの容量や前記半閉結制御手段の構成からあらかじめ決定できる時間であるが、上記半閉結制御手段の構成としたとき、放電電流が流れなくなって前記定電流回路に電池電源から過大な電流が流れ始めるまでの時間でもある。
【００３１】
請求項２に係わる本発明において、一定時間は、前記スイッチ手段の動作を開始させたとき、すなわち前記交流インピーダンス整合手段が前記スイッチ手段を介して電話回線に接続されたとき、前記交流インピーダンス整合手段におけるコンデンサが電話回線の電圧により充電を開始し、その充電が完了するまでの時間を意味し、前記コンデンサの容量や前記スイッチ手段の構成からあらかじめ決定できる時間であるが、上記半閉結制御手段の構成としたとき、前記コンデンサの充電電圧が前記半閉結制御手段に電流を流すに十分な電圧に到達するまでの時間でもある。
【００３２】
請求項４に係わる本発明において、リセットによる初期状態は、制御手段が閉結制御手段、スイッチ手段、交流インピーダンス整合手段、および半閉結制御手段のすべてを動作停止の状態に設定することを意味する。また、一定時間は、上記請求項１に係わる本発明における一定時間と同じ意味をもつ。なお、リセット前が閉結状態であった場合にはコンデンサの充電電圧は低く、半閉結制御手段を介して放電不可能である場合についても上記の動作を実施するものとする。
【００３３】
請求項５に係わる本発明において、一定時間は、上記請求項１に係わる本発明における一定時間と同じ意味を持つ。
【００３４】
請求項６に係わる本発明については記載の通りであるが、エミッタに挿入する抵抗は電流帰還により電流を一定に保とうとする作用を備え、また、コレクタに挿入する抵抗はコレクタ電圧帰還により電流変化を抑制する作用と、およびコレクタ電圧の飽和による電流制限の作用を備えている。
【００３５】
以下、実施例について説明する。
（実施例１）
以下、本発明の端末網制御装置の実施例１について図面を参照しながら説明する。
【００３６】
図１は本実施例の構成を示すブロック図、図２は本実施例の構成を示す回路図である。なお、図９および図１０に示した従来例と同じ構成要素には同一番号を付与して詳細な説明を省略する。本実施例が従来例と異なる点は、交流インピーダンス整合手段のコンデンサ６ａを半閉結制御手段７を介して速やかに放電させながら、半閉結制御手段における無駄な電流消費を防止するようにした制御手段９の制御にある。なお、本実施例では、交流インピーダンス整合手段６における放電用の抵抗を設けない構成とするとともに、回線電源供給手段１２を設けずに電池電源１１から電源を供給する簡単な構成とするが、前記放電用の抵抗を備えてもよく、また、半閉結制御手段７の電源が回線電源供給手段から供給される構成であってもよい。
【００３７】
図３は本実施例の半閉結動作状態の終了時における制御手段９の動作を示す波形図である。図において、（３−１）は、スイッチ手段５を制御する端子９ｂの電圧波形、（３−２）は半閉結制御手段７を制御する端子９ｃの電圧波形、（３−３）はスイッチ手段５のＰＮＰトランジスタ５ｄのコレクタの電圧波形、すなわち半閉結制御手段７のトランジスタ７ａのコレクタの電圧波形を示す。半閉結状態では端子９ｂおよび端子９ｃの電圧はハイレベルにあり、ＰＮＰトランジスタ５ｄのコレクタ電圧は約４０ｖになっている。この状態から半閉結状態をオフとさせる場合、まず時刻ｔ1 で端子９ｂの電圧をローレベルにしてスイッチ手段５の動作を停止、すなわちオフとさせる。この状態では半閉結制御手段７は動作中であるため、交流インピーダンス整合手段６のコンデンサ６ａはトランジスタ７ａを介して放電する。なお、このときの放電電流は定電流回路１０が制御する一定電流になる。
【００３８】
つぎに、前記放電電流が流れる時間Ｔを経過したのちに端子９ｃの電圧をローレベルにして半閉結制御手段７の動作を停止させる。前記時間Ｔは、コンデンサ６ａの電圧が放電により低下し、トランジスタ７ａのコレクタから放電できなくなるまでの時間を意味する。トランジスタ７ａのコレクタ電流が流れなくなった状態で半閉結制御手段７を動作状態のままにすると、定電流回路１０は定電流を維持しようとしてトランジスタ７ａのベースに過大な電流を流し込むが、前記時間Ｔを経過した時点で半閉結制御手段７の動作を停止させるので、定電流回路１０は過大な電流を流すことはなく、したがって電池電源１１から定電流回路１０に過大な電流が流れない。以上の動作により、放電用の抵抗がなくてもコンデンサ６ａを半閉結制御手段７を介して速やかに放電させることができる。
【００３９】
以上のように本実施例によれば、交流インピーダンス整合手段６における放電用の抵抗６ｃを廃止した構成として半閉結状態に移行するとき、スイッチ手段５の動作を停止させたのち、交流インピーダンス整合手段６のコンデンサ６ａが半閉結制御手段７を介して放電し終わった時点で半閉結制御手段７の動作を停止させるように制御することにより、コンデンサ６ａを半閉結制御手段７を介して放電させることができ、交流インピーダンス整合手段６の交流インピーダンスを低下させることなくコンデンサ６ａの放電を速めることができ、また、直流インピーダンスを低下させないためにも有効であり、装置の設計上の自由度が広くなる。
【００４０】
なお、本実施例では、放電用の抵抗を備えず、また、電池電源１１から電源を供給する構成について説明したが、放電用の抵抗を備えた構成であっても本実施例の手段は放電用の抵抗の抵抗値を小さくすることなくコンデンサ６ａの放電を速める手段として有効であるとともに、回線電源供給手段から電源を供給する構成であっても半閉結制御手段７に無駄な電流を流さない手段として有効であることは言うまでもなく、以下の各実施例についても同様である。
【００４１】
（実施例２）
以下、本発明の端末網制御装置の実施例２について図面を参照しながら説明する。なお、本実施例の構成は図１と同じである。
【００４２】
図４は本実施例の半閉結動作状態の開始時における制御手段９の動作を示す波形図である。図４において、（４−１）はスイッチ手段５を制御する端子９ｂの電圧波形、（４−２）は半閉結制御手段７を制御する端子９ｃの電圧波形、（４−３）はスイッチ手段５のＰＮＰトランジスタ５ｄのコレクタの電圧波形、すなわち半閉結制御手段７のトランジスタ７ａのコレクタの電圧波形を示す。
【００４３】
動作停止状態では、端子９ｂおよび端子９ｃの電圧はローレベルにあり、ＰＮＰトランジスタ５ｄのコレクタ電圧は約０ｖになっている。この状態から半閉結状態を動作させる場合、まず時刻ｔ1 で端子９ｂの電圧をハイレベルにしてスイッチ手段５を動作、すなわちオンとさせると、コンデンサ６ａの充電が開始する。この状態でトランジスタ７ａのコレクタ電圧がコレクタ電流を流すに十分な電圧以上に上昇した時刻ｔ2 で端子９ｃをハイレベルにし、半閉結制御手段７を動作させることにより、電池電源１１から定電流回路１０に過大な電流が流れることなく半閉結状態に移行することができる。
【００４４】
以上のように本実施例によれば、交流インピーダンス整合手段６における放電用の抵抗６ｃを廃止した実施例１の構成において半閉結状態を停止する場合、スイッチ手段５を動作状態としたのち、交流インピーダンス整合手段６のコンデンサ６ａがスイッチ手段５を介して充電し終わった時点で半閉結制御手段７を動作させるように制御することにより、電池電源１１から半閉結制御手段７に過大な電流を流すことなく半閉結状態に移行でき、放電用の抵抗６ｃを廃止して交流インピーダンスの低下を防止でき、直流インピーダンスの低下防止にも有効である。
【００４５】
（実施例３）
以下、本発明の端末網制御装置の実施例３について図面を参照しながら説明する。なお、本実施例の構成は図１と同じである。図５は本実施例の動作を示す波形図である。図５において、（５−１）は閉結制御手段４を制御する端子９ｄの電圧波形、（５−２）はスイッチ手段５を制御する端子９ｂの電圧波形、（５−３）は半閉結制御手段７を制御する端子９ｃの電圧波形、（５−４）はスイッチ手段５のＰＮＰトランジスタ５ｄのコレクタの電圧波形、すなわち半閉結制御手段７のトランジスタ７ａのコレクタの電圧波形を示す。半閉結状態では、実施例１と同様に、時刻ｔ1 で端子９ｂの電圧をローレベルにしてスイッチ手段５をオフとし、時間Ｔを経過したのちに端子９ｃの電圧をローレベルに制御する。つぎに、時刻ｔ3 で電話回線２を閉結動作状態にする場合、端子９ｄの電圧をハイレベルにして閉結制御手段４を動作状態にするとともに、端子９ｂの電圧および端子９ｃの電圧をハイレベルにしてスイッチ手段５および半閉結制御手段７を動作状態にする。このとき、トランジスタ７ａのコレクタ電圧はＶ2 に上昇する。
【００４６】
つぎに、時刻ｔ4 において、この閉結動作状態を終了させる場合、端子９ｄの電圧をローレベルにして閉結制御手段４の動作を停止させるとともに、スイッチ手段５と半閉結制御手段７とを時間Ｔを置かずに同時に動作を停止させるように制御する。この場合、閉結動作状態ではコンデンサ６ａの充電電圧が低くなっているため、実施例１で示したように半閉結制御手段７を時間Ｔだけ遅延させて動作を停止させると、コンデンサ６ａがトランジスタ７ａのコレクタ電圧の低い状態で放電してしまい、電池電源１１から定電流回路１０に過大な電流が流れてしまう。したがって、閉結状態からの動作停止の制御を、実施例１に示した半閉結状態からの動作停止の制御と異なる制御とすることにより、電池電源１１から定電流回路１０に過大な電流を流さないようにすることができる。
【００４７】
以上のように本実施例によれば、交流インピーダンス整合手段６における放電用の抵抗６ｃを廃止した実施例１の構成において閉結状態を停止する場合、閉結制御手段４の動作を停止させるとともに、直ちにスイッチ手段５および半閉結制御手段７の動作を停止させるように制御することにより、電池電源１１から半閉結制御手段７に過大な電流を流すことなく閉結状態を停止でき、放電用の抵抗６ｃを廃止して交流インピーダンスの低下を防止でき、直流インピーダンスの低下防止にも有効である。
【００４８】
（実施例４）
以下、本発明の端末網制御装置の実施例４について図面を参照しながら説明する。なお、本実施例の構成は図１に示した構成と同じである。図６は本実施例の動作を示す波形図である。図６において、（６−１）はスイッチ手段５を制御する端子９ｂの電圧波形、（６−２）は半閉結制御手段７を制御する端子９ｃの電圧波形、（６−３）はスイッチ手段５のＰＮＰトランジスタ５ｄのコレクタの電圧波形、すなわち半閉結制御手段７のトランジスタ７ａのコレクタの電圧波形を示す。
【００４９】
制御手段９のマイクロコンピュータがリセットした場合、その前の状態により交流インピーダンス整合手段６のコンデンサ６ａが充電されている場合があり、（６−２）に示したように、スイッチ手段５の停止状態で半閉結制御手段７を時刻ｔ1 から時刻ｔ2 まで動作させることによりコンデンサ６ａを放電させることができる。また、コンデンサ６ａが充電されていない場合には、トランジスタ７ａのコレクタ電圧が低いので電池電源１１から定電流回路１０に過大な電流が一時的に流れるが、制御手段９のリセット時のみであり、このような場合が発生する頻度が極めて少ないので、電池電源１１の消耗は小さいと考えてよい。したがって、前記マイクロコンピュータをリセットする場合、時間Ｔの間、半閉結制御手段７を動作させることにより、コンデンサ６ａを半閉結制御手段７を介して放電させることができる。
【００５０】
以上のように本実施例によれば、交流インピーダンス整合手段６における放電用の抵抗６ｃを廃止した実施例１の構成において制御手段９のマイクロコンピュータをリセットするとき、時間Ｔの間、半閉結制御手段７を動作させるように制御することにより、交流インピーダンス整合手段６のコンデンサ６ａを半閉結制御手段７を介して放電させることができ、放電用の抵抗６ｃを廃止して交流インピーダンスの低下を防止でき、直流インピーダンスの低下防止にも有効である。
【００５１】
（実施例５）
以下、本発明の端末網制御装置の実施例５について図面を参照しながら説明する。なお、本実施例の構成は図１に示した構成と同じである。図７は本実施例の動作を示す波形図である。図７において、（７−１）は閉結制御手段４を制御する端子９ｄの電圧波形、（７−２）はスイッチ手段５を制御する端子９ｂの電圧波形、（７−３）は半閉結制御手段７を制御する端子９ｃの電圧波形、（７−４）はスイッチ手段５のＰＮＰトランジスタ５ｄのコレクタの電圧波形、すなわち半閉結制御手段７のトランジスタ７ａのコレクタの電圧波形を示す。
【００５２】
いま、時刻ｔ1 からダイヤルパルスを送出する場合、スイッチ手段５、半閉結制御手段７をオフにし、閉結制御手段４をパルス出力数に応じてオンオフ制御し、時刻ｔ2 からつぎのダイヤルパルス送出する時刻ｔ3 前までのミニマムポーズの間、まずスイッチ手段５を動作状態にしたのち時間Ｔを経過した時点で半閉結制御手段７を動作させることにより、実施例１と同様に、電池電源１１から定電流回路１０に過大な電流が流れないようにすることができる。この処理は時刻ｔ4 においても同様である。
【００５３】
以上のように本実施例によれば、交流インピーダンス整合手段６における放電用の抵抗６ｃを廃止した実施例１の構成において、閉結制御手段４の開閉制御でダイヤルパルスを送出するとき、つぎのダイヤルパルスを送出するまでのミニマムポーズの期間において、スイッチ手段５を動作させたのち時間Ｔを経過した時点で半閉結制御手段７を動作させることにより、電池電源１１から半閉結制御手段７に過大な電流を流すことなくコンデンサ６ａを半閉結制御手段７を介して放電させることができ、放電用の抵抗６ｃを廃止して交流インピーダンスの低下を防止でき、直流インピーダンスの低下防止にも有効である。
【００５４】
（実施例６）
以下、本発明の端末網制御装置の実施例６について図面を参照しながら説明する。なお、本実施例の構成は図１に示した構成と同じである。図７は本実施例の動作を示す波形図である。図８（ａ）はスイッチ手段５の抵抗５ｆが短絡された状態、すなわち抵抗５ｆを備えない構成における、制御手段９の端子９ｂのハイレベル電圧Ｖ0 とＮＰＮトランジスタ５ｂのコレクタ電流ＩＳとの関係を示す特性図である。ハイレベル電圧Ｖ0 が一定の電圧、たとえばＶ1 であれば、ダイオードブリッジ３の出力電圧ＶＬが変動してもコレクタ電流ＩＳはＩ1 に一定となるが、制御手段９が電池電源１１で直接駆動され、端子９ｂのハイレベル電圧Ｖ0 が変動する場合には、図に示したように、コレクタ電流ＩＳはハイレベル電圧Ｖ0 に比例して変化する。コレクタ電流ＩＳが増加することは電話回線２の交流インピーダンスが低下することなる。
【００５５】
一方、図８（ｂ）はスイッチ手段５の抵抗５ｆを備えた構成における、制御手段９の端子９ｂのハイレベル電圧Ｖ0 とコレクタ電流ＩＳとの関係を示す特性図である。制御手段９の端子９ｂのハイレベル電圧Ｖ0 が高くなり、ＮＰＮトランジスタ５ｂのコレクタ電流ＩＳが増加した場合、抵抗５ｆで電流が図に示したＢ点で制限され、電話回線２の交流インピーダンスの低下を防止することができる。
【００５６】
以上のように本実施例によれば、スイッチ手段５のＮＰＮトランジスタ５ｂのコレクタに抵抗５ｆを挿入して設けることにより、制御手段９の端子９ｂのハイレベル電圧Ｖ0 が増加した場合にコレクタ電流ＩＳの増加を抑制でき、電話回線２の交流インピーダンスの低下を抑制することができ、直流インピーダンスの低下防止にも有効である。
【００５７】
【発明の効果】
請求項１に係わる本発明は、電話回線の半閉結状態を停止させるとき、交流インピーダンス整合手段のコンデンサの電荷を前記半閉結制御手段を介して放電させ、放電させたのち半閉結制御手段の動作を停止させるようにした端末網制御装置とすることにより、交流インピーダンス整合手段の交流インピーダンスを低下させることなくコンデンサの放電を速めることができ、したがって、放電用の抵抗に左右されずに交流インピーダンスの設定が容易になるとともに、直流インピーダンスの低下防止にも有効であり、また、放電後に電源から半閉結制御手段に過大な電流が流れないようにできるので、半閉結制御手段の電源として電池電源を用いることが容易になる。
【００５８】
請求項２に係わる本発明は、電話回線を半閉結状態にするとき、スイッチ手段を動作させて交流インピーダンス整合手段のコンデンサを充電し、充電させたのち半閉結制御手段を動作させるようにした端末網制御装置とすることにより、スイッチ手段を動作させてから前記コンデンサが充電されるまでの間に電源から半閉結制御手段に過大な電流が流れないようにすることができ、半閉結制御手段の電源として電池電源を用いた場合、半閉結状態にするときに電池電源の電圧低下を回避することができる。
【００５９】
請求項３に係わる本発明は、閉結動作状態を停止するときには、閉結制御手段とスイッチ手段と半閉結制御手段とを同時に動作を停止させるようにした請求項１に係わる端末網制御装置とすることにより、閉結状態では交流インピーダンス整合手段のコンデンサの充電電圧が低くて閉結状態を停止するときに半閉結制御手段を介して放電できないことに起因して電源から過大な電流が流れる事態を防止でき、半閉結制御手段の電源として電池電源を用いた場合、電池電源から過大な電流が流れる事態を回避することができる。
【００６０】
請求項４に係わる本発明は、制御手段がリセットにより初期状態にしたとき、半閉結制御手段を所定時間、動作させて、交流インピーダンス整合手段のコンデンサを放電させるようにした請求項１ないし請求項３のいずれかに係わる端末網制御装置とすることにより、交流インピーダンス整合手段のコンデンサをあらかじめ放電させておけるとともに、そののちは半閉結制御手段の動作を停止させておくので、半閉結制御手段の電源として電池電源を用いた場合、電池電源から半閉結制御手段に過大な電流が流れないようにすることができる。
【００６１】
請求項５に係わる本発明は、閉結状態で閉結制御手段を制御してダイヤルパルスを送出するとき、ダイヤルパルスを送出し終わった時点でスイッチ手段を動作させたのち、所定時間を経過した時点で半閉結制御手段を動作させるようにした請求項１ないし請求項４のいずれかに係わる端末網制御装置とすることにより、ダイヤルパルスを送出したのち半閉結状態にするとき、交流インピーダンス整合手段のコンデンサが充電されるまでの間に電源から半閉結制御手段に過大な電流が流れないようにすることができ、半閉結制御手段の電源として電池電源を用いた場合、電池電源から半閉結制御手段に過大な電流が流れないようにすることができる。
【００６２】
請求項６に係わる本発明は、制御手段の信号を入力するスイッチ手段のＮＰＮトランジスタのエミッタとコレクタのそれぞれに直列に抵抗を挿入して設けた請求項１ないし請求項５のいずれかに係わる端末網制御装置とすることにより、スイッチ手段の直流インピーダンスが制御手段の電源電圧が所定値以上では電圧変動の影響を受けにくく、例えば交流インピーダンスの低下を防止でき、制御手段などを電池電源で駆動する場合には電圧変動が大きくなるので有効な手段となる。
【図面の簡単な説明】
【図１】本発明の端末網制御装置の構成を示すブロック図
【図２】本発明の端末網制御装置の構成を示す要部回路図
【図３】本発明の端末網制御装置の実施例１の動作を示す波形図
【図４】本発明の端末網制御装置の実施例２の動作を示す波形図
【図５】本発明の端末網制御装置の実施例３の動作を示す波形図
【図６】本発明の端末網制御装置の実施例４の動作を示す波形図
【図７】本発明の端末網制御装置の実施例５の動作を示す波形図
【図８】（ａ）本発明の端末網制御装置の実施例６の動作を示す波形図
（ｂ）同実施例６の動作を示す波形図
【図９】従来の端末網制御装置の構成を示すブロック図
【図１０】従来の端末網制御装置の構成を示す要部回路図
【符号の説明】
１  端末網制御装置
１ａ、１ｂ  端子
１ｃ  データ入力端子
２  電話回線
３  ダイオードブリッジ
４  閉結制御手段
４ａ、４ｂ、４ｃ  端子
５  スイッチ手段
５ａ、５ｃ、５ｅ、５ｆ  抵抗
５ｂ  ＮＰＮトランジスタ
５ｄ  ＰＮＰトランジスタ
６  交流インピーダンス整合手段
６ａ  コンデンサ
６ｂ、６ｃ  抵抗
７  半閉結制御手段
７ａ  トランジスタ
７ｂ  抵抗
８  モデム手段
８ａ、８ｂ、８ｃ  端子
９  制御手段
９ａ、９ｂ、９ｃ、９ｄ、９ｅ、９ｆ  端子
１０  定電流回路
１０ａ、１０ｂ、１０ｃ  端子
１１  電池電源
１２  回線電源供給手段
【図１】
0003690054.tif 000002
【図２】
0003690054.tif 000003
【図３】
0003690054.tif 000004
【図４】
0003690054.tif 000005
【図５】
0003690054.tif 000006
【図６】
0003690054.tif 000007
【図７】
0003690054.tif 000008
【図８】
0003690054.tif 000009
【図９】
0003690054.tif 000010
【図１０】
0003690054.tif 000011